(57)【要約】【課題】複数段のスタンドに弾性糸巻糸体パッケージを掛け、各段の弾性糸を同時にタテ取り解舒して、連続的に布帛などの製造に使う際の、弾性糸の尻糸を簡単に処理することを可能とする弾性糸巻糸体パッケージを提供する。【解決手段】紙管と弾性糸巻糸体とからなる弾性糸巻糸体パッケージであって、前記紙管は弾性糸巻糸体の端部と紙管の端部との間に紙管軸と直交する周方向に溝を有し、前記溝に弾性糸巻糸体の尻糸が巻き付いており、前記尻糸の糸束の少なくとも一部と交差して、線状物またはテープ状物が挟持された弾性糸巻糸体パッケージ。【選択図】図１Ａ
2019064828.tif 000002
【特許請求の範囲】
【請求項１】
紙管と弾性糸巻糸体とからなる弾性糸巻糸体パッケージであって、前記紙管は弾性糸巻糸体の端部と紙管の端部との間に紙管軸と直交する周方向に溝を有し、前記溝に弾性糸巻糸体の尻糸が巻き付いており、前記尻糸の糸束の少なくとも一部と交差して、線状物またはテープ状物が挟持された弾性糸巻糸体パッケージ。
【請求項２】
前記線状物またはテープ状物が、環状であり、前記尻糸の糸束を緩結束する請求項１に記載の弾性糸巻糸体パッケージ。
【請求項３】
前記環状となった線状物またはテープ状物のループ長が紙管の全周よりも長く、ループ内に紙管を配置される状態で設置される請求項２に記載の弾性糸巻糸体パッケージ。
【請求項４】
前記線状物またはテープ状物の材質が、柔軟性を有する樹脂である請求項１〜３のいずれかに記載の弾性糸巻糸体パッケージ。
【請求項５】
前記線状物またはテープ状物によりタグが少なくとも１つ取り付けられた請求項１〜４のいずれかに記載の弾性糸巻糸体パッケージ。
【発明の詳細な説明】
【技術分野】
【０００１】
本発明は、取扱い性に優れた尻糸がある弾性糸巻糸体パッケージ、詳しくは、弾性糸を材料とする加工製品の製造工程において、弾性糸の尻糸の取り出しが容易であり、これにより巻糸体の切り替え時の作業性を改善できる弾性糸巻糸体パッケージに関するものである。さらに詳しくは、弾性糸の中でも中太繊度品とよばれる弾性糸を巻芯方向にタテ取り解舒する加工装置で使用する際に特に効果が顕著となる弾性糸巻糸体パッケージに関するものである。
【背景技術】
【０００２】
弾性糸、特に、ポリウレタン弾性糸（ポリウレタン弾性繊維と記される場合もある）は、その伸縮特性を活かし、ファンデーション、ソックス、パンティストッキング、水着などの衣料、スポーツ分野の伸縮機能素材として多用されている。また、近年では不織布と組み合わせることで、紙おむつの立体ギャザー部、ウエスト部やレッグ部の伸縮部材に使われており、大人用、介護用、子供用、新生児用などの多種多様なサイズ、デザインのものが世の中で販売されている。また、生理ナプキンなどにも使われる。
【０００３】
かかる多種多様なサイズやデザインに対応するため、弾性糸の繊度や糸の延伸倍率を部位毎に変えることや、数本〜数十本の弾性糸を並走させて同時に不織布に貼り合わせる技術が知られている。
【０００４】
特許文献１には、上記のような紙おむつや衛生材料用途では、多数のポリウレタン弾性糸を連続的に使用したいというニーズから、近年ポリウレタン弾性糸は紙管の軸方向へ解舒するタテ取り解舒が主流となりつつある。このようなタテ取り解舒に用いられる弾性糸巻糸体パッケージには、口糸（端糸とも呼ばれる）と尻糸（テールとも呼ばれる）とを形成すること、その際尻糸は使用する紙管上の弾性糸巻糸体の巻幅より外側に溝（スリットとも呼ばれる）を円周方向に設け、巻き始めの糸を溝に導入させて、形成することが記載されている。このような構成をとることで尻糸を別の弾性糸巻糸体パッケージの口糸と結ぶことができ、加工を停止することなく弾性糸巻糸体を切り替えることができ、連続的にタテ取り解舒ができるのである。
【０００５】
近年、不織布と弾性糸を組み合わせて使用する紙おむつなどに代表される衛生材料製品においては、消費人口の増加によって、生産数量が増加しており、弾性糸の使用量もそれ相応して増えていることから、こういった製品の製造工程においては、弾性糸巻糸体パッケージからの尻糸の取り出し易さの改善が求められている。
【０００６】
現在一般的に尻糸は、弾性糸巻糸体パッケージを製造後に紙管溝から解いて、口糸と結びつけるのに必要十分な長さに切って整えた形態とするか、弾性糸巻き上げ後も、尻糸を紙管溝に巻き付かせた形態で、加工時に人または機械装置により解いて使う方法が主流となっている。
【０００７】
前述の弾性糸巻糸体パッケージを製造後に、尻糸を取り出した形態の場合、紙おむつなどに代表される衛生材料用途の製品の加工場へ出荷する際に、梱包資材との接触、輸送途中の振動によって尻糸が擦過などによってダメージを受け、加工場でのタテ取り解舒において糸切れ問題を起こすことから、尻糸を紙管溝に巻き付かせた形態の弾性糸巻糸体パッケージが好まれる。この場合、加工場へ出荷する際には、輸送途中に受けるダメージを回避できるが、加工場において弾性糸巻糸体パッケージから尻糸を取り出す作業、すなわち、人が紙管溝から尻糸束を取り出せるところを探して、手でつまみ出し、口糸と結びつけるために必要な尻糸の長さに調整するなどの手間暇を要する作業が必要となる。特に、紙管溝から尻糸を手で取り出す際には、伸縮性を持つ弾性糸は、紙管溝に食い込んでいるため取り出しにくく、時間を要していた。従って、加工場での尻糸の取り出し箇所の視認性の向上ならびにつまみ出しの容易化は課題であった。
【０００８】
尻糸の取り出しを改善するために、特許文献２のように、紙管溝を紙管の全周に設けることから、部分的に溝切り部を無くしたところを設け、そこに巻かれた弾性糸の尻糸を、加工作業者の目で位置を確認し、手でつまんで取り出すなどの工夫が開示されているが、弾性糸巻糸体パッケージの紙管の全周を確認してその部分を探し出す必要があり、視認性の問題が残っていた。
【先行技術文献】
【特許文献】
【０００９】
【特許文献１】特開２０００−２８９９３１号公報
【特許文献２】特開２０１４―１０５１０３号公報
【発明の概要】
【発明が解決しようとする課題】
【００１０】
本発明が解決しようとする課題は、特許文献２のように部分的に溝切り部のない紙管であっても、尻糸の取り出し位置をさらに容易に視認でき、手または治具を使っても確実に口糸と結びつけるのに必要な長さの尻糸が取り出せ、結果、作業負担をさらに軽減できる、弾性糸巻糸体パッケージを提供することである。
【課題を解決するための手段】
【００１１】
本発明は、前記の課題を解決するため、以下のいずれかの手段を採用する。
（１）紙管と弾性糸巻糸体とからなる弾性糸巻糸体パッケージであって、前記紙管は弾性糸巻糸体の端部と紙管の端部との間に紙管軸と直交する周方向に溝を有し、前記溝に弾性糸巻糸体の尻糸が巻き付いており、前記尻糸の糸束の少なくとも一部と交差して、線状物またはテープ状物が挟持された弾性糸巻糸体パッケージ。
（２）前記線状物またはテープ状物が、環状であり、前記尻糸の糸束を緩結束する前記（１）に記載の弾性糸巻糸体パッケージ。
（３）前記環状となった線状物またはテープ状物のループ長が紙管の全周よりも長く、ループ内に紙管を配置される状態で設置される前記（２）に記載の弾性糸巻糸体パッケージ。
（４）前記線状物またはテープ状物の材質が、柔軟性を有する樹脂である前記（１）〜（３）のいずれかに記載の弾性糸巻糸体パッケージ。
（５）前記線状物またはテープ状物によりタグが少なくとも１つ取り付けられた前記（１）〜（４）のいずれかに記載の弾性糸巻糸体パッケージ。
【発明の効果】
【００１２】
本発明は、巻芯紙管上に尻糸を具備し、尻糸の取り出し位置を容易に視認することができ、かつ、手または治具を使って尻糸を確実に取り出せるものである。また、ケース梱包や輸送中においても尻糸部が崩れないようにすることができる。
【図面の簡単な説明】
【００１３】
【図１Ａ】本発明の弾性糸巻糸体パッケージの尻糸に挟持した線状物により尻糸を引き出す状況を示す模式図である。
【図１Ｂ】本発明の弾性糸巻糸体パッケージの尻糸に挟持したテープ状物により尻糸を引き出す状況を示す模式図である。
【図１Ｃ】比較例で用いた尻糸を引き出す状況を示す模式図である。
【図２】実施例１〜２および比較例１〜２で用いた弾性糸巻糸体パッケージを示す模式図である。
【図３】図２−２の尻糸部分の拡大図である。
【図４】実施例３で用いた弾性糸巻糸体パッケージを示す模式図である。
【図５】紙管および本発明の弾性糸巻糸体パッケージの全体を示す模式図である。
【図６】線状物にタグが取り付けられた弾性糸巻糸体パッケージの例を示す模式図である。
【発明を実施するための形態】
【００１４】
本発明は、紙管と弾性糸巻糸体とからなる弾性糸巻糸体パッケージであって、前記紙管は弾性糸巻糸体の端部と紙管の端部との間に紙管軸と直交する周方向に溝を有し、前記溝に弾性糸巻糸体の尻糸が巻き付いており、前記尻糸の糸束の少なくとも一部と交差して、線状物またはテープ状物が挟持された弾性糸巻糸体パッケージである。
【００１５】
本発明において、弾性糸巻糸体とは、弾性糸をチーズ状に巻き上げたものを指し、紙管上に弾性糸巻糸体を巻いたものを弾性糸巻糸体パッケージと記す。本発明においては、紙管は弾性糸巻糸体の端部と紙管の端部との間に紙管軸と直交する周方向に溝を有し、前記溝に弾性糸巻糸体の尻糸が巻き付いている。すなわち、図５に示すように、本発明の弾性糸巻糸体パッケージは、紙管７が弾性糸巻糸体９より露出している部分の少なくとも一方に、尻糸２を巻き付けるための溝８があり、そこに尻糸２となる弾性糸が、巻き付けられている。そして、前記尻糸の糸束の少なくとも一部と交差して、線状物またはテープ状物が挟持されている。かかる構成をとることにより、加工装置で使用する際に、挟持されている線状物またはテープ状物をつまんで引っ張ることで、尻糸２を弾性糸巻糸体パッケージから容易に引き出すことができる。これにより、尻糸２を次に使用する弾性糸巻糸体パッケージの口糸１０と結ぶことができ、加工を停止することなくスムーズに弾性糸巻糸体を切り替えることができる。なお、線状物またはテープ状物の定義については後述する。
【００１６】
本発明の弾性糸巻糸体パッケージに用いられる紙管の形状としては特に限定されないが、円筒形状のものが一般的である。紙管表面には、色紙を貼り付け、さらに再生セルロースを主成分とするセロハンフィルム、防湿セロハンフィルムやポリエステルフィルムなどを色紙の上に貼り合わせたものや、ポリビニルアルコールを主成分とするコート樹脂剤もしくはそれ相応のものを色紙の上にコーティングしたものが使用される。また、色紙そのものを貼り付けたもの、色紙に凹凸加工、エンボス加工などを施したものも使用されるが、本発明は、紙管の材質ならびに表面剤、表面の加工方法の差において発明の効果が損なわれるものではない。
【００１７】
上記弾性糸巻糸体の端部と紙管の端部との間に、少なくとも弾性糸を巻き付ける巻幅よりも紙管軸方向で端部側、すなわち、弾性糸巻糸体パッケージにおける紙管の露出部となる部分に尻糸巻き付け溝を有することにより、弾性糸巻糸体形成時の巻き出し部分を尻糸として引き出すことが可能となる。
【００１８】
一般的に弾性糸巻糸体パッケージにおける紙管の露出部とは、紙管長を１００％とすると、両端の端それぞれ、５〜１０％であることが好ましい。一般的な弾性糸の正味重量４．５ｋｇの弾性糸巻糸体パッケージにおける紙管露出部はそれぞれ８〜１５ｍｍである。その少なくともどちらか一方に、尻糸を固定するための溝がある。なお、尻糸巻き付け溝が一方の端部近傍のみにある場合には、溝がある側の紙管の露出部の長さが他方より長くなるように弾性糸巻糸体を配置したパッケージとしても問題はない。
【００１９】
上記尻糸巻き付け溝は、巻き付け方向、すなわち、紙管軸に垂直となる方向に設けられた溝のことを示す。また、上記溝は紙管軸と直行する周方向にあるが、全周にわたって存在してもよいし、周方向の一部に溝が途切れている部分があってもよい。尻糸巻き付け溝が全周にはない場合、紙管の全周を１００％として、尻糸巻き付け溝のない長さの割合は３〜１０％、より好ましくは４〜８％程度であることが、巻き取り時に尻糸を尻糸巻き付け溝に確実に把持することができる点で好ましい。
【００２０】
尻糸巻き付け溝を紙管に形成する方法は、加圧により連続した凹みを形成する方法、刃物により切り込みを入れる方法など、特に限定されるものではないが、回転刃を押し当てて切り込みを入れる方法が好ましい。その理由として、回転刃の形状によって溝形状を変えることができること、押し当て方によって溝の深さや幅を自在に変えることができること、異なる形状の回転刃を組み合わせて用いることにより、複雑な断面形状の溝を形成することができることなどが挙げられる。また、そのような加工で溝を付与することから、尻糸巻き付け溝の断面形状は、Ｖ形状または略Ｖ形状、それに類似する形状が一般的である。
【００２１】
尻糸巻き付け溝の紙管の面内における形状（溝幅の変化）や断面形状は、尻糸の形成、すなわち巻き取りの際の効率面、弾性糸の繊度、弾性率などを考慮して、設定すればよい。例えば、尻糸が紙管に巻き付き易くするために、導入溝として尻糸巻き付け溝の一部の溝幅を他の部分の溝よりも幅広く、かつ、深く切り込んだ形状としたものを設けてもよい。かかる導入溝の深さは他の尻糸巻き付け溝よりも、一般的には浅いものとすることが好ましい。その様な導入溝が溝の周方向上に複数箇所存在してもよい。
【００２２】
紙管に弾性糸を巻き付け、弾性糸巻糸体パッケージを形成する時は、まず弾性糸を紙管上に設けた尻糸巻き付け溝に巻き付け、その後、弾性糸巻糸体部分を形成して、弾性糸巻糸体パッケージとする。尻糸は紙管上の溝に食い込んだまま巻き付けられて、溝の中において糸束状となる。
【００２３】
弾性糸巻糸体パッケージの尻糸の長さは特に限定されるものでなく、弾性糸を巻き上げるための巻取機の機構などによって、適宜設定すれば良いが、通常は紙管の尻糸巻き付け溝への巻回数で２回以上巻き付けられていることが好ましく、５回以上巻き付けられていればさらに好ましい。紙管の尻糸巻き付け溝への巻回数の上限は特にないが、１０回も巻き付けられていれば十分であることが多く、尻糸が溝からはみ出さない程度に巻き付けておくことが好ましい。
【００２４】
本発明では、該尻糸の糸束の少なくとも一部と交差する、線状物（図１Ａの１）またはテープ状物（図１Ｂの３）が紙管の尻糸巻き付け溝に巻き付けられた尻糸の糸束（図３の５）によって挟持されているものである。少なくとも一部とは、尻糸の巻き付け周回数に対して、２〜１０割程度、好ましくは、５〜９割程度のことを示す。交差するとは、尻糸の溝方向、すなわち、尻糸の巻き付け方向（図３のＡ）に対し、線状物またはテープ状物が交差していれば良い。
【００２５】
線状物またはテープ状物とは、尻糸と交差する部分の断面について、外接する最小面積の長方形を作図した場合において短辺／長辺が０．７以上１以下であるものを線状物とし、短辺／長辺が０．０１以上０．７未満であるものをテープ状物とする。
【００２６】
線状物またはテープ状物の材質は、紙紐、綿糸などの素材、ナイロンやポリエステルなどのプラスティック樹脂、またそれらを組み合わせたものや、針金などで補強したものが代表例としてあげられるが、これらに限定されるものではない。弾性糸巻糸体の尻糸には巻き取りの際にストレッチが掛かっており、ゴムのように巻き締まっている尻糸に交差させる必要があることから、ある程度の剛性と柔軟性のバランスを備えた、ナイロンやポリエステル樹脂で出来たものがより好ましい。
【００２７】
特に好ましいのは、ナイロン樹脂やポリエステル樹脂を基に線状またはテープ形態に成型されたものであり、線状であれば、断面が丸形状であって、直径が０．２〜１．０ｍｍ程度のものが好ましく、テープ形状であれば、テープ厚みが１．０ｍｍ以下、テープ幅が２．０〜４．０ｍｍ程度のものが好ましい。
【００２８】
本発明の線状物またはテープ状物は、尻糸と交差することに加えて、線状物またはテープ状物が環状であり、前記尻糸の糸束を緩結束することが好ましい。環状というのは、全体がループ状になっているものと、部分的にループ状になっていることを示す。緩結束とは、線状物またはテープ状物で糸束を締め付ける状態（図１Ｃの４、図２−４）でないこと、すなわち、線状物またはテープ状物が形成する環（輪）の中で、尻糸が自由に移動可能であることを示す。通常の結束、すなわち尻糸を束が崩れないように完全に絞ってしまうと、本発明の線状物またはテープ状物を使って弾性糸巻糸体パッケージから尻糸を引き出した際に、尻糸の長さ（図１Ａ〜１ＢにおけるＬ）を自在に変更できないからである。
【００２９】
具体的な線状物の代表例としては、“ループロック（登録商標）”糸ロックス、“チェーンロックス（登録商標）”、ルーズタイ、タグファスナーなどとも呼ばれるナイロン製またはポリエステル製などを代表する樹脂成形品であり、片方の先端は尖っており、かつ、抜け防止を目的としたカギをその先端に具備し（有し）、もう片方の先端は、固定するための差し込み口となり、抜け防止の機能を持たせたものであり、市販のものを用いることができ、太さ、ループ長などを適宜変更したものが使える。これらのものは、ループ状の輪（環）を容易に形成し、線状物の両端を固定するように加工したものであるから、容易に尻糸が緩結束できるので好適である。また、紙管上の尻糸の糸束の一部と交差させることから、先端が鋭利なものが好ましい。
【００３０】
また、魚釣りなどに使用されるナイロン製のモノフィラメント糸や、綿糸、綿や麻などの天然繊維と合繊繊維を寄り合わせた手芸糸やミシン糸などでも構わないが、ループ形成の際に両端を結ぶ必要があるので、上述の両端の固定が容易な樹脂成形品を用いることが好ましい。
【００３１】
具体的なテープ状物の代表例としては、結束バンド、ケーブルタイ、“インシュロック（登録商標）”などとも呼ばれるナイロン製またはポリエステル製などを代表する樹脂成形品であり、市販のものを用いることができ、線形、ループ長などを適宜変更したものが使える。これらのものは、ループ状の輪（環）を容易に形成し、そのループの大きさを自在に変えることが出来るので好適である。また、紙管上の尻糸の糸束の一部と交差させることから、テープ幅が狭く、どちらか片方の先端が鋭利なものが好ましい。
【００３２】
上記のような、線状物またはテープ状物を尻糸の糸束の少なくとも一部と交差した状態で設置することで、尻糸の取り出し位置として、それらが目印となり、視認性が大きく改善されることになる。また、それらがループを形成することで、手で取り出す時にも容易につまみ出せることが可能になり、場合によっては、Ｌ字状のフック治具などを用い、引っかけることも可能になる。これらによって、尻糸取り出しの作業（尻糸の取り出し作業）を装置や機械を用いて自動化することもできる。
【００３３】
また、線状物またはテープ状物のループ長の長さを紙管の全周よりも大きくすることで、ループ内に紙管を配置するような状態で設置（図４）することができる。そうすれば、弾性糸巻糸体パッケージをケース梱包して、加工場へ出荷した時に、梱包資材との接触など不慮の事故で尻糸が外れてしまうなどの事故を回避できる。かかる場合のループ長としては、紙管直径の１．１〜１．５倍であることが好ましい。１．１倍に満たないと、紙管をループ内に配置する際の作業性が低下し、１．５倍を超えると紙管がループの外に外れやすくなる。
【００３４】
また、線状物またはテープ状物が、柔軟性を有するとは、すなわち、エアーエジェクタやサクション吸引装置などの機械装置の吸引口のサイズ、形状に合わせて、ループの形態が任意の形に変形することを意味する。柔軟性を有する線状物またはテープ状物によって尻糸束が吸引可能となり、弾性糸巻糸体パッケージより容易に取り出すことができる。
【００３５】
また、本発明の弾性糸巻糸体パッケージには、線状物またはテープ状物によりタグが少なくとも１つ取り付けられていることが好ましい。ここで、タグとは、被取り付け体に関する情報を添付するために取り付けられる札である。
【００３６】
タグの大きさ・形状等は特に限定されないが、大きすぎると、皺や折れ曲がるなどの変形や破れたりする破損の可能性が相対的に大きくなり、小さすぎると視認性や情報量が十分にカバーできない等の問題が生じる場合がある。かかる観点から、表示面の大きさ・形状としては、１０〜８０ｍｍ四方に収まる範囲であることが好ましい。また形状としては、角が立っていると弾性糸巻糸体パッケージ表面の弾性糸を傷つける場合があることから多角形形状である場合には各辺の連結部は頂点を持たずＲを有する形状とすることが好ましい。
【００３７】
タグの厚みは特に限定されないが、薄すぎると変形や破れたりする破損の可能性が相対的に大きくなり、厚いと相対的に変形し難い方向となり視認性は向上するが、弾性糸巻糸体パッケージを傷つける場合がある。かかる観点から、０．０５〜０．５ｍｍの範囲であることが好ましい。
【００３８】
タグの材質については特に限定されないが、変形性および情報表示のための印刷の観点から適宜選択すれば良い。変形性の観点では、柔らかすぎると変形により視認性や情報の読み取り性が低下し、堅すぎると弾性糸巻糸体パッケージを傷つける場合がある。印刷性の観点では、紙や印刷用のコーティング等を施した樹脂フィルム、またはそれらを貼り合わせたものであることが好ましい。
【００３９】
タグの取り付け方は、線状物またはテープ状物から不用意に外れてしまわなければ、特に限定されず、（ｉ）線状物またはテープ状物と一体化、（ｉｉ）線状物またはテープ状物に固定、または、（ｉｉｉ）線状物またはテープ状物をタグに形成された孔や筒状の部位に通してタグを移動可能に取り付け、等のいずれの方法を採っても構わない。図６に上述の（ｉｉｉ）の方法によって線状物に取り付けたタグ１１とタグ１１が取り付けられた弾性糸巻糸体パッケージの例を示す。図６−１はタグの一部を、折り返し貼り合わせて、筒状の部位を形成し、線状物を通してタグを取り付けた一例である。折り返し部位の固定には、粘着剤を使用してもよいし、熱融着や、ステープラーの使用等特に限定されない。また、筒状の部位に線状物を移動可能に取り付けても良いし、また線状物とタグとを固定しないでタグを移動可能に取り付けても良い。図６−２は図６−１のタグに切り取り用のミシン目１２を設け、タグを弾性糸巻糸体パッケージの使用時に切り取れるようにした一例である。図６−３はタグに設けた１つの孔に線状物を通した一例である。図６−４はタグに設けた２つの孔に線状物を通した一例である。設けた孔の大きさを変えることにより、タグを線状物に緩やかに固定することもできる。図６−５はタグの一部を折り返して筒状部位を形成し、線状物を通した一例である。
【００４０】
タグを取り付けることにより、弾性糸巻糸体パッケージの識別が容易になる。例えば、複数の種類の弾性糸巻糸体パッケージを同時に使用し、不織布に貼り合わせるような加工場においては、弾性糸巻糸体パッケージを識別することが所定の製品を得るために重要であるが、このような状況において弾性糸巻糸体パッケージの識別が容易になることは、作業効率や製品収率の観点から有用である。
【００４１】
タグの色や形状、および／または、タグ上に表示する、文字、数字、記号などにより、弾性糸巻糸体パッケージを識別する情報を付けることで、従来に比較して、弾性糸巻糸体パッケージの識別がたいへん容易となる。すなわち、従来は識別に用いる情報は、弾性糸巻糸体パッケージが梱包されていた製品ケース上に貼り付けられた製品表示ラベル、または、弾性糸巻糸体パッケージの一部である紙管の内側に貼り付けた製品表示シールなどであり、個別のパッケージを外側から見て識別することが困難であったところ、タグがついていることによって箱から出した後であっても、紙管の中をのぞき込む必要がないためである。従来はこのような、弾性糸の種類の識別を容易にするため、弾性糸製造者は紙管色を変えるなどの対応をする場合もあったが、上述のようにタグを取り付けることにより、紙管色を変える手間が減り、紙管調達などが簡便になる。
【００４２】
タグに表示する情報は、文字、数字、記号等の人が直接読み取れる情報以外にも、一次元模様の情報に集約したデジタル情報として変換したバーコードや二次元模様の情報に変換した“ＱＲコード（登録商標）”等の二次元コードを併記しても構わない。このようにデジタル情報を用いるときには、弾性糸巻糸体パッケージの製造時期、場所などのトレーサービリティに関する情報を含めることも好ましい。また、弾性糸巻糸体パッケージの登録商標やロゴなどを記載しても構わない。上記タグの情報によって、弾性糸巻糸体パッケージを使用する使用者が該情報を使って、正しく識別ができ、タグの情報により、加工時の糸切れなどの不良について、弾性糸製造者側に対して改善を要望することも容易になる。
【００４３】
本発明に用いられる弾性糸は特に限定されないが、ポリウレタン弾性繊維またはポリウレタン弾性糸が好ましい例として挙げられる。また、弾性糸は複数の単糸から構成させるマルチフィラメントであり、通常、２０フィラメント〜１２０フィラメントの弾性糸である。弾性糸の繊度としては特に限定されないが、中太繊度品とよばれる繊度１５０〜１３００デシテックスの弾性糸に適用することが好ましい。また、フィラメントの断面は丸断面、楕円、ピーナッツ形状、眉形など、それらの形態が複合された集合体であっても構わない。
【００４４】
以下、実施例を用いて本発明をさらに詳しく説明するが、本発明は、それらの態様に限定されるものではない。
【実施例】
【００４５】
表面を再生セルロースからなる防湿セロハンフィルムで巻き上げた紙管幅長１７５ｍｍ、直径８２ｍｍ、表面周長２５７ｍｍ、肉圧４ｍｍの弾性糸紙管７に、溝幅４ｍｍ、紙管全周の内、９５％の範囲に切られている尻糸巻き付け溝８に対し、単糸数が５６フィラメント、弾性糸の平均径として０．３３ｍｍからなる６２０デシテックスのポリウレタン弾性糸を尻糸巻き付け溝に１９回巻き付け、糸の正味重量が４．５ｋｇとなるポリウレタン弾性糸巻糸体パッケージを得た。その時、弾性糸巻糸体パッケージにおける溝がある側の紙管の露出部の長さは１０ｍｍであった。
［実施例１］
上記弾性糸巻糸体パッケージに、全長１３０ｍｍ、線状部分の太さが０．８ｍｍのナイロン製の“ループロック（登録商標）”を一つ用い、尻糸巻き付け溝上に形成された糸束の一部、詳しくは１０本と交差するように通してループを作り、弾性糸巻糸体パッケージ（図２−２）を得た。
［実施例２］
全長１００ｍｍ、テープ状部の幅が２．６ｍｍ、厚みが０．８ｍｍとなるナイロン製の“インシュロック（登録商標）”を一つ用い、尻糸巻き付け溝上に形成された糸束の一部、詳しくは８本と交差するように通してループを作り、弾性糸巻糸体パッケージ（図２−３）を得た。
［実施例３］
上記弾性糸巻糸体パッケージに、全長２６５ｍｍ、線状部分の太さが０．８ｍｍのナイロン製の“ループロック（登録商標）”を一つ用い、尻糸巻き付け溝上に形成された糸束の一部、詳しくは１０本を交差するように通してループを作り、弾性糸巻糸体パッケージ（図４）を得た。
［比較例１］
紙管１上に、単糸数が５６フィラメント、弾性糸の平均径として０．３３ｍｍからなる６２０デシテックスのポリウレタン弾性糸を尻糸巻き付け溝に１９回巻き付けて、糸の正味重量が４．５ｋｇとなるポリウレタン弾性糸巻糸体パッケージ（図２−１）を得た。
［比較例２］
紙管１上に、実施例２と同じテープ状物を一つ用い、尻糸巻き付け溝上に形成された糸束８本分を溝が切られていない部分と交差するようにループを作り、その部分で尻糸を結束するようにして、弾性糸巻糸体パッケージ（図２−４）を得た。
［比較例１〜２］［実施例１〜３］それぞれのポリウレタン弾性糸巻糸体パッケージに対し、手で尻糸をつまみ出す操作により、尻糸の取り出し易さを比較した結果を表１に示す。この際、容易に取り出せた場合は○、少し劣るが取り出せた場合は△、取り出しが難しい場合は×にて判定したところ、実施例１〜３は比較例１および比較例２よりも容易に尻糸を取り出すことができた。
［比較例２］、［実施例２］について、図１Ｃおよび図１Ｂのように、テープ状物を手でつまみ出して尻糸を取り出し、得られた尻糸の長さ（図１Ｃおよび図１ＢのＬ）を測定した結果を表２に示す。糸束を完全に結束してしまうと尻糸の長さにバラツキが生じて、加工場において取扱い性を損なうことが明確となり緩結束することが優れる結果となった。
【００４６】
【表１】
2019064828.tif 000003
【００４７】
【表２】
2019064828.tif 000004
【符号の説明】
【００４８】
１：  線状物
２：  尻糸
３：  テープ状物
４：  尻糸を完全に結束させたテープ状物
５：  紙管の尻糸巻き付け溝上に巻き付けられた尻糸の糸束
６：  ループ長が紙管の全周よりも長い線状物
７：  紙管
８：  尻糸巻き付け溝
９：  弾性糸巻糸体
１０：口糸
１１：線状物に取り付けられたタグ
１２：切り取り用のミシン目
Ａ：  尻糸の巻き付け方向
Ｌ：  引き出せる尻糸の長さ
【図１Ａ】
2019064828.tif 000005
【図１Ｂ】
2019064828.tif 000006
【図１Ｃ】
2019064828.tif 000007
【図２】
2019064828.tif 000008
【図３】
2019064828.tif 000009
【図４】
2019064828.tif 000010
【図５】
2019064828.tif 000011
【図６】
2019064828.tif 000012